(57)【要約】【課題】自動スクロール表示に関わる消費電力を軽減することが可能な移動無線端末装置を提供する。【解決手段】制御部１００は、表示部３０のリスト表示エリアにリスト化して表示した項目のうち、フォーカスが対応する項目の説明文を表示部３０のスクロール表示エリアにて自動的にスクロールさせて表示する自動スクロール表示処理を実施し、この処理を所定回数Ｎだけ繰り返すと、上記処理を停止するようにしたものである。【選択図】      図１
2006319420.tif 000002
【特許請求の範囲】
【請求項１】
ネットワークに接続される無線基地局と通信する移動無線端末装置において、
少なくとも文字情報を表示可能な表示手段と、
文字データを記憶する記憶手段と、
この記憶手段が記憶する文字データに基づく文字情報を前記表示手段にスクロールさせて表示させるスクロール処理を、予め設定された回数だけ繰り返す表示制御手段とを具備することを特徴とする移動無線端末装置。
【請求項２】
さらに、ユーザからの要求を受け付ける操作手段を備え、
前記表示制御手段は、前記記憶手段が記憶する文字データに基づく文字情報を前記表示手段にスクロールさせて表示させるスクロール処理を、前記操作手段を通じてユーザから予め設定された回数だけ繰り返すことを特徴とする請求項１に記載の移動無線端末装置。
【請求項３】
前記表示制御手段は、前記スクロール処理を予め設定された回数だけ繰り返した後、前記文字情報を先頭から予め設定したところまでを前記表示手段に表示させることを特徴とする請求項１に記載の移動無線端末装置。
【請求項４】
ネットワークに接続される無線基地局と通信する移動無線端末装置において、
少なくとも文字情報を表示可能な表示手段と、
文字データを記憶する記憶手段と、
この記憶手段が記憶する文字データに基づく文字情報を前記表示手段にスクロールさせて表示させるスクロール処理を、予め設定された時間の間だけ繰り返す表示制御手段とを具備することを特徴とする移動無線端末装置。
【請求項５】
さらに、ユーザからの要求を受け付ける操作手段を備え、
前記表示制御手段は、前記記憶手段が記憶する文字データに基づく文字情報を前記表示手段にスクロールさせて表示させるスクロール処理を、前記操作手段を通じてユーザから予め設定された時間だけ繰り返すことを特徴とする請求項３に記載の移動無線端末装置。
【請求項６】
前記表示制御手段は、前記スクロール処理を予め設定された時間だけ繰り返した後、前記文字情報を先頭から予め設定したところまでを前記表示手段に表示させることを特徴とする請求項４に記載の移動無線端末装置。
【請求項７】
さらに、ユーザからの要求を受け付ける操作手段を備え、
前記表示制御手段は、前記記憶手段が記憶する複数の文字データを前記表示手段にリスト化して表示させ、前記操作手段を通じて受け付けた要求に対応する文字データに対応する文字情報を前記表示手段にスクロールさせて表示させることを特徴とする請求項１または請求項４に記載の移動無線端末装置。
【請求項８】
さらに、ユーザからの要求を受け付ける操作手段を備え、
前記表示制御手段は、前記操作手段を通じて受け付けた要求に応じて前記スクロール処理を再開し、前記文字情報を前記表示手段にスクロールさせて表示させることを特徴とする請求項１または請求項４に記載の移動無線端末装置。
【請求項９】
さらに、前記表示手段を照明する照明手段を備え、
前記表示制御手段は、前記スクロール処理に応動させて、前記照明手段の照明／非照明を制御することを特徴とする請求項１または請求項４に記載の移動無線端末装置。
【発明の詳細な説明】
【技術分野】
【０００１】
この発明は、少なくとも文字情報を表示する機能を備えた移動無線端末装置に関する。
【背景技術】
【０００２】
周知のように、従来の移動無線端末装置は、例えば表示画像を２つの表示領域に分割し、一方の表示領域で複数の項目をリスト化して表示し、このリスト上でフォーカスが当たっている項目について、他方の表示領域で説明表示を行うようにしている。また他方の表示領域では、説明表示が長文にわたる場合、自動的にスクロールさせて表示を行うようにして、ユーザの手間を省くようにしている（例えば、特許文献１参照）。
【０００３】
しかしながら、このような従来の移動無線端末装置では、一方の表示領域でリストにフォーカスが当たっている場合、他方の表示領域では、際限なく自動スクロールが繰り返されるため、バッテリ電力を浪費してしまう虞があるという問題があった。
【特許文献１】特開２００４−２４２２７８公報
【発明の開示】
【発明が解決しようとする課題】
【０００４】
従来の移動無線端末装置では、説明文などを自動スクロール表示する場合、この処理が際限なく行われるため、バッテリ電力を浪費してしまう虞があるという問題があった。  
この発明は上記の問題を解決すべくなされたもので、自動スクロール表示に関わる消費電力を軽減することが可能な移動無線端末装置を提供することを目的とする。
【課題を解決するための手段】
【０００５】
上記の目的を達成するために、この発明は、ネットワークに接続される無線基地局と通信する移動無線端末装置において、少なくとも文字情報を表示可能な表示手段と、文字データを記憶する記憶手段と、この記憶手段が記憶する文字データに基づく文字情報を表示手段にスクロールさせて表示させるスクロール処理を、予め設定された回数だけ繰り返す表示制御手段とを具備して構成するようにした。
【発明の効果】
【０００６】
この発明によれば、自動スクロール表示に関わる消費電力を軽減することが可能な移動無線端末装置を提供できる。
【発明を実施するための最良の形態】
【０００７】
以下、図面を参照して、この発明の一実施形態について説明する。  
図１は、この発明の一実施形態に係わる移動無線端末装置の構成を示すものである。この移動無線端末装置は、アンテナ１と、通信部１０と、音声処理部２０と、表示部３０と、操作部４０と、報知部５０と、記憶部６０と、制御部１００とを備えている。
【０００８】
アンテナ１は、ネットワークに接続される無線基地局（図示しない）から送信される無線信号の受信や、当該移動無線端末装置からの上記無線基地局に宛てた無線信号の送信を行うものである。
【０００９】
通信部１０は、アンテナ１を通じて上記無線基地局と無線通信し、この無線基地局および上記ネットワークを通じて通信相手局と通信するものである。具体的には、通信部１０は、アンテナ１が受信した無線信号をダウンコンバートして復調し、通信相手局から送信された符号化音声データを得て、これを制御部１００を通じて音声処理部２０に出力する。また通信部１０は、制御部１００を通じて音声処理部２０から与えられる符号化音声データを用いてベースバンド信号を変調し、これをアップコンバートして無線信号を生成し、アンテナ１を通じて上記無線基地局に宛てて送信する。
【００１０】
音声処理部２０は、通信部１０にて復調された符号化音声データを復号して音声信号を再生し、内蔵するスピーカ２１から拡声出力する。これにより、通話相手局からの送話音声がユーザに伝達される。また音声処理部２０は、内蔵するマイクロホン２２から入力された音声信号を符号化して符号化音声データを生成し、これを制御部１００を通じて通信部１０に与える。
【００１１】
表示部３０は、ＬＣＤ（Liquid Crystal Display）などを用いた表示装置であって、テキストや画像など種々の視覚的な情報をユーザに映示するものである。図２に、表示部３０に表示される内容の一例を示す。図２に示す例では、表示部３０の表示可能領域が、スクロール表示エリア３０ａと、リスト表示エリア３０ｂに分割されて用いられている状態を示している。
【００１２】
リスト表示エリア３０ｂには、電子メールの受信履歴や、当該移動無線端末装置の設定項目などがリスト化されて表示される。そして、このリスト表示エリア３０ｂでは、リスト化されて表示される項目のいずれかを選択するためのフォーカス３０ｃが表示される。
【００１３】
スクロール表示エリア３０ａは、後述する制御部１００の制御により、フォーカス３０ｃが対応する項目の説明文が表示される領域である。以下の説明では、２行分の表示領域を持つ場合を例に挙げて説明する。
【００１４】
操作部４０は、複数のキースイッチなどを備え、ユーザの要求を受け付けるものである。報知部５０は、着信の発生を音によりユーザに報知するものである。記憶部６０は、制御部１００の制御プログラムや制御データ、電話番号、名称および顔写真などの画像データを対応づけた電話帳データを記憶するとともに、送受信したメールデータや、当該移動無線端末装置の設定に関わる説明データなどが記憶される。
【００１５】
制御部１００は、当該移動無線端末装置の各部を統括して制御するものである。例えば、制御部１００は、通信部１０が無線基地局から着信信号を受信した場合に、表示部３０および報知部５０を制御して、着信の発生を報知するとともに、操作部４０を通じたユーザの応答操作により、上記着信に応答する信号を通信部１０に送信させ、音声通信リンクを確立する着信制御機能を備える。
【００１６】
また制御部１００は、操作部４０を通じたユーザの発信要求に応じて、通信部１０を制御して、ユーザが指定する電話番号への発信を行う発信制御機能や、この発信に伴って音声通信リンクを確立する通信制御機能を備える。さらに制御部１００は、操作部４０を通じたユーザの要求に応じて、記憶部６０が記憶するテキストデータを読み出して、表示部３０に表示させる制御機能を備える。
【００１７】
次に、上記構成の移動無線端末装置の動作について説明する。なお、以下の説明では、無線基地局との間に通信リンクを確立する手順や、音声通信を実現するための制御、電話帳データの登録や呼出、編集などの説明は省略し、記憶部６０が記憶するテキストデータを表示部３０に表示させる表示制御について説明する。
【００１８】
図３は、上記表示制御を説明するフローチャートである。このフローチャートに示す処理は、操作部４０を通じたユーザからの要求によって、図２に示したように、リスト表示エリア３０ｂに複数の項目がリスト化されて表示される場合に開始される。なお、このフローチャートに示す制御を実現するための制御プログラムは、記憶部６０に記憶される。
【００１９】
この開始に伴い、制御部１００は、記憶部６０からユーザが指定する情報の項目を読み出して、リスト表示エリア３０ｂにリスト化して表示する。また制御部１００は、リスト表示エリア３０ｂに表示した項目のうち、最上段の項目にフォーカス３０ｃを対応づけて表示する。
【００２０】
まず、ステップ３ａにおいて制御部１００は、操作部４０を通じて、ユーザからフォーカス３０ｃを移動させる要求が生じたか否かを判定する。ここで、ユーザからフォーカス３０ｃを移動させる要求が生じたと判定した場合には、ステップ３ｂに移行し、一方、上記要求が生じていないと判定した場合には、再びステップ３ａに移行して上記判定を行う。なお、当該処理が開始された直後においては、ユーザからフォーカス３０ｃを移動させる要求が生じたと判定し、ステップ３ｂに移行する。
【００２１】
ステップ３ｂにおいて制御部１００は、操作部４０を通じたユーザからの要求に応じた位置に、フォーカス３０ｃを移動させて表示する。そして、フォーカス３０ｃが対応する項目に対応づけられた説明文データを記憶部６０から読み出し、ステップ３ｃに移行する。
【００２２】
ステップ３ｃにおいて制御部１００は、ステップ３ｂで読み出した説明文データが２行以内のデータ量か否かを判定する。ここで、上記説明文データが２行以内のデータ量の場合には、ステップ３ｄに移行し、一方、上記説明文データが３行以上のデータ量の場合には、ステップ３ｅに移行する。
【００２３】
ステップ３ｄにおいて制御部１００は、ステップ３ｂで読み出した説明文データをスクロール表示エリア３０ａに表示し、ステップ３ａに移行する。ここでの表示は、スクロールを伴わない通常の表示が成される。
【００２４】
一方、ステップ３ｅにおいて制御部１００は、ステップ３ｂで読み出した説明文データを、開始行から順にスクロールさせてスクロール表示エリア３０ａに表示させる自動スクロール表示処理を開始し、ステップ３ｆに移行する。
【００２５】
図４、上記自動スクロール表示処理のイメージを示す。この図に示すように、自動スクロール表示処理は、上記説明文データの全体を示す説明文全体ｅｘ上を、スクロール表示エリア３０ａを移動させ、開始行から順に２行分に相当する内容を表示させるものである。
【００２６】
ステップ３ｆにおいて制御部１００は、操作部４０を通じて、ユーザからフォーカス３０ｃを移動させる要求が生じたか否かを判定する。ここで、ユーザからフォーカス３０ｃを移動させる要求が生じたと判定した場合には、ステップ３ｇに移行し、一方、上記要求が生じていないと判定した場合には、ステップ３ｈに移行する。
【００２７】
ステップ３ｇにおいて制御部１００は、ステップ３ｅで開始した自動スクロール表示処理を停止し、ステップ３ｂに移行する。
【００２８】
一方、ステップ３ｈにおいて制御部１００は、スクロール回数ｎが予め設定した閾値Ｎ以上か否かを判定する。ここで、スクロール回数ｎが予め設定した閾値Ｎ以上の場合には、ステップ３ｊに移行し、一方、スクロール回数ｎが予め設定した閾値Ｎ未満の場合には、自動スクロール表示処理を継続し、ステップ３ｉに移行する
ステップ３ｉにおいて制御部１００は、スクロール回数ｎに「１」を加算し、自動スクロール表示処理を継続した状態で、ステップ３ｆに移行する。
【００２９】
一方、ステップ３ｊにおいて制御部１００は、自動スクロール表示処理を最終行を含む２行分がスクロール表示エリア３０ａに表示されるまで継続する。そして、最終行を含む２行分が表示されると、自動スクロール表示処理を停止し、ステップ３ｋに移行する。
【００３０】
ステップ３ｋにおいて制御部１００は、ステップ３ｂで読み出した説明文データのうち、開始行を含む２行分の説明文データをスクロール表示エリア３０ａに通常表示する。そして、スクロール回数ｎを「０」にリセットし、ステップ３ａに移行する。
【００３１】
なお、ステップ３ｋにおいて、自動スクロール表示処理を停止した後は、開始行を含む２行分の説明文データをスクロール表示エリア３０ａに通常表示することに限定されることなく、ステップ３ｂで読み出した説明文データの中から任意の部分を表示してもよいし、この説明文を２行に簡略して文字・記号によるデータを新たに読み出して説明文のかわりに通常表示してもよい。
【００３２】
以上のように、上記構成の移動無線端末装置では、リスト表示エリア３０ｂにリスト化して表示した項目のうち、フォーカス３０ｃが対応する項目の説明文をスクロール表示エリア３０ａにて自動的にスクロールさせて表示する自動スクロール表示処理を実施し、この処理を所定回数Ｎだけ繰り返すと、上記処理を停止するようにしている。
【００３３】
したがって、上記構成の移動無線端末装置によれば、自動スクロールにより表示処理が、延々と繰り返されることを防止できるので、バッテリ電力の浪費を防止することができる。
【００３４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３５】
その一例として例えば、上記実施の形態では、説明文全体ｅｘを表示した回数ｎが所定回数Ｎだけ繰り返された場合に、自動スクロール表示処理を停止するようにしたが、これに代わって例えば、制御部１００は、自動スクロール表示処理を開始した時間を計時し、開始から所定時間が経過した場合に、上記自動スクロール表示処理を停止するようにしてもよい。
【００３６】
また上記実施の形態では、説明文全体ｅｘを表示した回数ｎが所定回数Ｎだけ繰り返された場合に、上記処理を停止して、ステップ３ｋにて開始行から２行分の説明文を通常表示するようにしたが、これに加えて例えば、ステップ３ｋにて操作部４０を通じたユーザ要求の発生を監視し、ユーザ要求に応じて、ステップ３ｅに移行し、上記自動スクロール表示処理を再開するようにしてもよい。ここで再開される自動スクロール処理は、Ｎ回でなく、１回だけや、Ｎ回以上繰り返すようにしてもよい。
【００３７】
さらに、表示部３０にバックライトを設け、このバックライトを制御部１００により点灯／消灯を制御するようにする。そして制御部１００は、通常の運用時には、操作部４０を通じてユーザによる操作が行われてから、所定時間が経過した場合に、点灯していたバックライトを消灯制御する。
【００３８】
また上記自動スクロール表示処理を実施している場合には、上記バックライトを点灯させ、自動スクロール表示処理の終了に合わせて、上記バックライトを消灯させるようにする。このようなバックライト制御によれば、バックライト点灯に伴う消費電力を軽減することができる。
【００３９】
そしてまた上記実施の形態では、自動スクロール表示処理をＮ回繰り返して行うものとして説明したが、この繰り返し回数は、操作部４０を通じてユーザから予め指定された回数とするようにしてもよい。時間により制御する場合には、操作部４０を通じてユーザから予め指定された時間とするようにしてもよい。  
その他、この発明の要旨を逸脱しない範囲で種々の変形を施しても同様に実施可能であることはいうまでもない。
【図面の簡単な説明】
【００４０】
【図１】この発明に係わる移動無線端末装置の一実施形態の構成を示す回路ブロック図。
【図２】図１に示した移動無線端末装置の表示部に表示される情報の一例を示す図。
【図３】図１に示した移動無線端末装置の表示部の表示制御を説明するためのフローチャート。
【図４】図３に示した処理においてなされる自動スクロール表示処理のイメージを説明するための図。
【符号の説明】
【００４１】
１…アンテナ、１０…通信部、２０…音声処理部、２１…スピーカ、２２…マイクロホン、３０…表示部、３０ａ…スクロール表示エリア、３０ｂ…リスト表示エリア、３０ｃ…フォーカス、４０…操作部、５０…報知部、６０…記憶部、１００…制御部、ｅｘ…説明文全体。
【図１】
2006319420.tif 000003
【図２】
2006319420.tif 000004
【図３】
2006319420.tif 000005
【図４】
2006319420.tif 000006